(57)【要約】【課題】スライドスイッチの防水性を高める。【解決手段】第一防水フィルム４は、絶縁性のハウジング２の外面に装着されている。第二防水フィルム５は、ハウジング２の内部に装着されている。導電性の第一固定接点６と第二固定接点７は、第一防水フィルム４と第二防水フィルム５の間においてハウジング２に固定されている。導電性の可動接点９は、第一防水フィルム４と第二防水フィルム５の間に配置され、第一固定接点６および第二固定接点７から離間している離間位置と、第一固定接点６および第二固定接点７と接触している接触位置との間で変位可能である。スライダ１０は、ハウジング２に支持され、オフ位置とオン位置の間で移動可能である。接点操作部１３は、スライダ１０に設けられている。接点操作部１３は、スライダ１０がオフ位置からオン位置へ移動されることにより、第二防水フィルム５を介して可動接点９を離間位置から接触位置へ変位させる。【選択図】図３
2016139589.tif 000002
【特許請求の範囲】
【請求項１】
ケースと、
前記ケースの外面に装着された第一防水フィルムと、
前記ケースの内部に装着された第二防水フィルムと、
前記第一防水フィルムと前記第二防水フィルムの間において前記ケースに固定された導電性の固定接点と、
前記第一防水フィルムと前記第二防水フィルムの間に配置され、前記固定接点から離間している離間位置と前記固定接点と接触している接触位置との間で変位可能である導電性の可動接点と、
第一位置と第二位置の間で第一方向へ移動可能に前記ケースに支持されたスライダと、
第三位置と第四位置の間で前記第一方向と交差する第二方向へ変位可能に前記スライダに支持されたスライダ操作部と、
前記スライダに支持され、前記スライダ操作部を前記第三位置に向けて付勢する付勢部材と、
前記スライダ操作部と前記ケースの一方に設けられた第一係合部と、
前記スライダ操作部と前記ケースの他方に設けられ、前記スライダ操作部が前記第三位置に配置されているときに、前記第一係合部と係合して前記スライダの前記第一方向への移動を阻止し、前記スライダ操作部が前記付勢部材の付勢力に抗って前記第四位置へ変位されると、前記第一係合部との係合が解除されて前記スライダの前記第一方向への移動を許容する第二係合部材と、
前記スライダに設けられ、前記スライダが前記第一位置から前記第二位置へ移動されることにより、前記第二防水フィルムを介して前記可動接点を前記離間位置から前記接触位置へ変位させる接点操作部と、  
を備えている、
スライドスイッチ。
【請求項２】
前記第一係合部は、前記第一方向と交差する向きに延びる凸部であり、
前記第二係合部は、前記突起と係合可能な凹部である、
請求項１に記載のスライドスイッチ。
【請求項３】
第一凸部を有する弾性部材と、
前記スライダに設けられた第二凸部と、
を備えており、
前記スライダが前記第一位置と前記第二位置の間を移動するとき、前記第二凸部は、前記弾性部材を弾性変形させつつ前記第一凸部を前記第一方向と交差する向きに変位させ、
前記弾性部材の弾性復帰力により、前記スライダの前記第一位置または前記第二位置への移動が支援される、
請求項１または２に記載のスライドスイッチ。
【請求項４】
前記第二防水フィルムは、前記ケースにレーザ溶着されている、
請求項１から３のいずれか一項に記載のスライドスイッチ。
【請求項５】
ケースと、
前記ケースの外面に装着された第一防水フィルムと、
前記ケースの内部に装着された第二防水フィルムと、
前記第一防水フィルムと前記第二防水フィルムの間において前記ケースに固定された導電性の固定接点と、
前記第一防水フィルムと前記第二防水フィルムの間に配置され、前記固定接点から離間している離間位置と前記固定接点と接触している接触位置との間で変位可能である導電性の可動接点と、
第一位置と第二位置の間で移動可能に前記ケースに支持されたスライダと、
前記スライダに設けられ、前記スライダが前記第一位置から前記第二位置へ移動されることにより、前記第二防水フィルムを介して前記可動接点を前記離間位置から前記接触位置へ変位させる接点操作部と、
を備えている、
スライドスイッチ。
【請求項６】
第一凸部を有する弾性部材と、
前記スライダに設けられた第二凸部と、
を備えており、
前記スライダが前記第一位置と前記第二位置の間で移動するとき、前記第二凸部は、前記弾性部材を弾性変形させつつ前記第一凸部を前記第一方向と交差する向きに変位させ、
前記弾性部材の弾性復帰力により、前記スライダの前記第一位置または前記第二位置への移動が支援される、
請求項５に記載のスライドスイッチ。
【請求項７】
前記第二防水フィルムは、前記ケースにレーザ溶着されている、
請求項５または６に記載のスライドスイッチ。
【発明の詳細な説明】
【技術分野】
【０００１】
本発明は、スライドスイッチに関する。
【背景技術】
【０００２】
この種のスイッチは、絶縁性のケース、導電性の固定接点、導電性の可動接点、およびスライダを備えている。固定接点は、ケースに固定されている。スライダは、第一位置と第二位置の間で移動可能に、ケースに支持されている。可動接点は、スライダに支持されている。スライダが第一位置にあるとき、可動接点と固定接点は離間する。スライダが第二位置にあるとき、可動接点と固定接点は接触する。すなわち、スライダが第一位置と第二位置の間で移動することにより、固定接点と可動接点間の導通状態が変化する（例えば、特許文献１を参照）。
【先行技術文献】
【特許文献】
【０００３】
【特許文献１】特開平９−２１３１６９号公報
【発明の概要】
【発明が解決しようとする課題】
【０００４】
本発明は、このようなスライドスイッチの防水性を向上することを第一の目的とする。
【０００５】
本発明は、このようなスライドスイッチの誤動作の発生を抑制することを第二の目的とする。
【課題を解決するための手段】
【０００６】
上記の第一の目的および第二の目的を達成するために、本発明がとりうる第一の態様は、スライドスイッチであって、
ケースと、
前記ケースの外面に装着された第一防水フィルムと、
前記ケースの内部に装着された第二防水フィルムと、
前記第一防水フィルムと前記第二防水フィルムの間において前記ケースに固定された導電性の固定接点と、
前記第一防水フィルムと前記第二防水フィルムの間に配置され、前記固定接点から離間している離間位置と前記固定接点と接触している接触位置との間で変位可能である導電性の可動接点と、
第一位置と第二位置の間で第一方向へ移動可能に前記ケースに支持されたスライダと、
第三位置と第四位置の間で前記第一方向と交差する第二方向へ変位可能に前記スライダに支持されたスライダ操作部と、
前記スライダに支持され、前記スライダ操作部を前記第三位置に向けて付勢する付勢部材と、
前記スライダ操作部と前記ケースの一方に設けられた第一係合部と、
前記スライダ操作部と前記ケースの他方に設けられ、前記スライダ操作部が前記第三位置に配置されているときに、前記第一係合部と係合して前記スライダの前記第一方向への移動を阻止し、前記スライダ操作部が前記付勢部材の付勢力に抗って前記第四位置へ変位されると、前記第一係合部との係合が解除されて前記スライダの前記第一方向への移動を許容する第二係合部材と、
前記スライダに設けられ、前記スライダが前記第一位置から前記第二位置へ移動されることにより、前記第二防水フィルムを介して前記可動接点を前記離間位置から前記接触位置へ変位させる接点操作部と、  
を備えている。
【０００７】
上記のような構成によれば、固定接点と可動接点が第一防水フィルムと第二防水フィルムの間に配置されており、両者の離接は、スライダに設けられた接点操作部により、第二防水フィルムを介して行なわれる。これにより、外部からケース内に侵入しうる水分によって固定接点と可動接点の切離動作が受ける影響を抑制できる。したがって、スライドスイッチの防水性を向上できる。
【０００８】
さらに、上記のような構成によれば、付勢部材の付勢力に抗ってスライダ操作部をスライダの移動方向と交差する向きに変位させない限り、スライダの第一位置と第二位置の間の移動が阻止される。これにより、スライダ操作部に加わる予期せぬ外力によって、第一位置に配置されているスライダが意図せず第二位置に移動されてしまう事態の発生を抑制できる。同様に、第二位置に配置されているスライダが意図せず第一位置に移動されてしまう事態の発生も抑制できる。したがって、スライドスイッチの誤動作の発生を抑制できる。
【０００９】
例えば、第一の態様に係るスライドスイッチは、以下のように構成されうる。
前記第一係合部は、前記第一方向と交差する向きに延びる凸部であり、
前記第二係合部は、前記突起と係合可能な凹部である。
【００１０】
また、第一の態様に係るスライドスイッチは、以下のように構成されうる。
第一凸部を有する弾性部材と、
前記スライダに設けられた第二凸部と、
を備えており、
前記スライダが前記第一位置と前記第二位置の間で移動するとき、前記第二凸部は、前記弾性部材を弾性変形させつつ前記第一凸部を前記第一方向と交差する向きに変位させ、
前記弾性部材の弾性復帰力により、前記スライダの前記第一位置または前記第二位置への移動が支援される。
【００１１】
このような構成によれば、スライダが第一位置または第二位置から離れる際には、ある程度の移動規制力が発揮される。これにより、上記の誤動作抑制機能が支援される。したがって、スライドスイッチの誤動作をより抑制できる。また、弾性部材の第一凸部が一旦変位されてしまえば、スライダの行き先への移動が支援されるため、操作者にクリック操作感を与えることができる。
【００１２】
第一の態様に係るスライドスイッチは、以下のように構成されうる。
前記第二防水フィルムは、前記ケースにレーザ溶着されている。
【００１３】
一般に、ハウジングの内部にはスイッチ回路を構成するための部品が収容されているため、防水フィルムを装着可能な領域が狭くなりがちである。しかしながら、レーザ溶着を用いることにより、第二防水フィルムとハウジングの接触面積が比較的小さい場合においても、両者を強固に結合できる。したがって、スライドスイッチの防水性をより向上できる。
【００１４】
上記の第一の目的を達成するために、本発明がとりうる第二の態様は、スライドスイッチであって、
ケースと、
前記ケースの外面に装着された第一防水フィルムと、
前記ケースの内部に装着された第二防水フィルムと、
前記第一防水フィルムと前記第二防水フィルムの間において前記ケースに固定された導電性の固定接点と、
前記第一防水フィルムと前記第二防水フィルムの間に配置され、前記固定接点から離間している離間位置と前記固定接点と接触している接触位置との間で変位可能である導電性の可動接点と、
第一位置と第二位置の間で移動可能に前記ケースに支持されたスライダと、
前記スライダに設けられ、前記スライダが前記第一位置から前記第二位置へ移動されることにより、前記第二防水フィルムを介して前記可動接点を前記離間位置から前記接触位置へ変位させる接点操作部と、
を備えている。
【００１５】
このような構成によれば、固定接点と可動接点が第一防水フィルムと第二防水フィルムの間に配置されており、両者の離接は、スライダに設けられた接点操作部により、第二防水フィルムを介して行なわれる。これにより、外部からケース内に侵入しうる水分によって固定接点と可動接点の切離動作が受ける影響を抑制できる。したがって、スライドスイッチの防水性を向上できる。
【００１６】
第二の態様に係るスライドスイッチは、以下のように構成されうる。
第一凸部を有する弾性部材と、
前記スライダに設けられた第二凸部と、
を備えており、
前記スライダが前記第一位置と前記第二位置の間で移動するとき、前記第二凸部は、前記弾性部材を弾性変形させつつ前記第一凸部を前記第一方向と交差する向きに変位させ、
前記弾性部材の弾性復帰力により、前記スライダの前記第一位置または前記第二位置への移動が支援される。
【００１７】
このような構成によれば、スライダが第一位置または第二位置から離れる際には、ある程度の移動規制力が発揮される。これにより、スライダ操作部に加わる予期せぬ外力によって、第一位置に配置されているスライダが意図せず第二位置に移動されてしまう事態の発生を抑制できる。同様に、第二位置に配置されているスライダが意図せず第一位置に移動されてしまう事態の発生も抑制できる。したがって、スライドスイッチの防水性を向上できるだけでなく、誤動作も抑制できる。また、弾性部材の第一凸部が一旦変位されてしまえば、スライダの行き先への移動が支援されるため、操作者にクリック操作感を与えることができる。
【００１８】
第二の態様に係るスライドスイッチは、以下のように構成されうる。
前記第二防水フィルムは、前記ケースにレーザ溶着されている。
【００１９】
一般に、ハウジングの内部にはスイッチ回路を構成するための部品が収容されているため、防水フィルムを装着可能な領域が狭くなりがちである。しかしながら、レーザ溶着を用いることにより、第二防水フィルムとハウジングの接触面積が比較的小さい場合においても、両者を強固に結合できる。したがって、スライドスイッチの防水性をより向上できる。
【発明の効果】
【００２０】
本発明の第一の態様によれば、スライドスイッチの防水性を向上できるとともに、誤動作の発生を抑制できる。
【００２１】
本発明の第二の態様によれば、スライドスイッチの防水性を向上できる。
【図面の簡単な説明】
【００２２】
【図１】第一実施形態に係るスライドスイッチを示す分解斜視図である。
【図２】図１のスライドスイッチの外観を示す五面図である。
【図３】図１のスライドスイッチの動作を説明するための図である。
【図４】図１のスライドスイッチの動作を説明するための図である。
【図５】図１のスライドスイッチの動作を説明するための図である。
【図６】図１のスライドスイッチの動作を説明するための図である。
【図７】図１のスライドスイッチの動作を説明するための図である。
【図８】図１のスライドスイッチの製法を説明するための図である。
【図９】第二実施形態に係るスライドスイッチを示す分解斜視図である。
【図１０】図９のスライドスイッチの外観を示す四面図である。
【図１１】図９のスライドスイッチの動作を説明するための図である。
【図１２】図９のスライドスイッチの製法を説明するための図である。
【発明を実施するための形態】
【００２３】
添付の図面を参照しつつ、本発明に係る実施形態の例について以下詳細に説明する。なお以下の説明に用いる各図面では、各部材を認識可能な大きさとするために縮尺を適宜変更している。また「前後」「左右」「上下」という表現は、説明の便宜のために用いるものであり、実際の使用状態における姿勢や方向を限定するものではない。
【００２４】
図１は、第一実施形態に係るスライドスイッチ１の構成を示す分解斜視図である。図２は、組み立てられたスライドスイッチ１の外観を示す五面図である。図２の（ａ）は正面図である。図２の（ｂ）は上面図である。図２の（ｃ）は底面図である。図２の（ｄ）は右側面図である。図２の（ｅ）は背面図である。左側面から見た形状は右側面図に示したものと対称であるため、図示を省略する。図３の（ａ）は、組み立てられたスライドスイッチ１の外観を示す斜視図である。図３の（ｂ）は、図３の（ａ）における線IIIB−IIIBに沿って矢印方向から見た断面を示している。
【００２５】
図１に示すように、スライドスイッチ１は、ハウジング２とカバー３を備えている。ハウジング２は、絶縁性の材料により形成されている。カバー３は、ステンレス鋼などの金属により形成されている。カバー３は、絶縁性の材料により形成されてもよい。ハウジング２とカバー３は、図２と図３に示すように結合されることにより、ケースを構成する。
【００２６】
図１に示すように、スライドスイッチ１は、第一防水フィルム４を備えている。図２の（ｃ）と図３の（ｂ）などに示すように、第一防水フィルム４は、ハウジング２の外面に装着されている。
【００２７】
図１に示すように、スライドスイッチ１は、第二防水フィルム５を備えている。図３の（ｂ）に示すように、第二防水フィルム５は、ハウジング２の内部に装着されている。
【００２８】
図３の（ｂ）に示すように、スライドスイッチ１は、第一固定接点６、第二固定接点７、および第三固定接点８を備えている。第一固定接点６、第二固定接点７、および第三固定接点８は、導電性の材料により形成されている。第一固定接点６、第二固定接点７、および第三固定接点８は、第一防水フィルム４と第二防水フィルム５の間において、ハウジング２に固定されている。第一固定接点６、第二固定接点７、および第三固定接点８は、ハウジング２により相互に離間され、電気的に絶縁されている。
【００２９】
図２に示すように、第一固定接点６の端部６ａ、第二固定接点７の端部７ａ、および第三固定接点８の端部８ａは、それぞれハウジング２の底部において露出しており、外部回路との接続端子として使用される。
【００３０】
図１に示すように、スライドスイッチ１は、可動接点９を備えている。可動接点９は、導電性の材料により形成されている。図３の（ｂ）に示すように、可動接点９は、第一防水フィルム４と第二防水フィルム５の間に配置されている。可動接点９は、第一固定接点６および第二固定接点７から離間している離間位置と、第一固定接点６および第二固定接点７と接触している接触位置との間で変位可能とされている。図３の（ｂ）に示した状態において、可動接点９は、離間位置にある。可動接点９は、無負荷状態で離間位置をとるように構成された弾性部材により形成されている。
【００３１】
図１に示すように、スライドスイッチ１は、スライダ１０を備えている。スライダ１０は、絶縁性の材料により形成されている。図３の（ｂ）に示すように、スライダ１０は、ハウジング２の内部に収容され、ハウジング２に支持されている。詳しくは後述するが、スライダ１０は、オフ位置（第一位置の一例）とオン位置（第二位置の一例）の間で、ハウジング２の長手方向（第一方向の一例）へ移動可能とされている。図３に示した状態において、スライダ１０はオフ位置に配置されている。
【００３２】
図１に示すように、スライドスイッチ１は、スライダ操作部１１を備えている。スライダ操作部１１は、絶縁性の材料により形成されている。図３の（ｂ）に示すように、スライダ操作部１１は、スライダ１０に支持されている。詳しくは後述するが、スライダ操作部１１は、初期位置（第三位置の一例）と操作位置（第四位置の一例）の間で、ハウジング２の高さ方向（第二方向の一例）へ変位可能とされている。ハウジング２の高さ方向は、ハウジング２の長手方向と交差する向きである。図３に示した状態において、スライダ操作部１１は、初期位置に配置されている。
【００３３】
図１に示すように、スライドスイッチ１は、板ばね１２（付勢部材の一例）を備えている。図３の（ｂ）に示すように、板ばね１２は、スライダ１０に支持されている。板ばね１２は、スライダ操作部１１を初期位置に向けて付勢している。
【００３４】
図１に示すように、スライダ操作部１１は、突起１１ａ（第一係合部の一例）を備えている。突起１１ａは、ハウジング２の短手方向に延びている。ハウジング２の短手方向は、ハウジング２の長手方向と交差する向きである。
【００３５】
図１に示すように、カバー３は、スライド溝３ａ、第一係合凹部３ｂ、および第二係合凹部３ｃを備えている。スライド溝３ａは、ハウジング２の長手方向に延びている。第一係合凹部３ｂ（第二係合部の一例）は、ハウジング２の短手方向に延びており、スライド溝３ａの一端部と連通している。第二係合凹部３ｃ（第二係合部の一例）は、ハウジング２の短手方向に延びており、スライド溝３ａの他端部と連通している。
【００３６】
図３に示したスライダ操作部１１が初期位置に配置されている場合において、突起１１ａは、第一係合凹部３ｂと係合している。これにより、ハウジング２の長手方向に沿うスライダ１０の移動が阻止されている。
【００３７】
図４の（ａ）は、図３に示した状態からスライダ操作部１１をカバー３の内側へ押し込んだ状態を示す斜視図である。図４の（ｂ）は、図４の（ａ）における線IVB−IVBに沿って矢印方向から見た断面を示している。
【００３８】
これらの図に示すように、上記の押し込み操作により、スライダ操作部１１は、板ばね１２の付勢力に抗って操作位置へ変位される。このとき、突起１１ａと第一係合凹部３ｂとの係合が解除される。これにより、スライダ操作部１１のスライド溝３ａに沿う移動が許容される。すなわち、スライダ１０のオン位置への移動が可能とされる。
【００３９】
図５の（ａ）は、図４に示した状態からスライダ操作部１１をスライド溝３ａに沿って移動させた状態を示す斜視図である。図５の（ｂ）は、図５の（ａ）における線VB−VBに沿って矢印方向から見た断面を示している。
【００４０】
図５の（ｂ）に示すように、スライドスイッチ１は、接点操作部１３を備えている。接点操作部１３は、スライダ１０に設けられている。接点操作部１３は、スライダ１０がオフ位置からオン位置へ移動されることにより、第二防水フィルム５を介して可動接点９を、離間位置から接触位置へ変位させるように構成されている。
【００４１】
第一係合凹部３ｂから第二係合凹部３ｃへ向けて、スライド溝３ａに沿ってスライダ操作部１１を変位させることにより、ハウジング２の長手方向に沿ってスライダ１０がオフ位置からオン位置へ移動する。これに伴い、スライダ１０に設けられた接点操作部１３が、第二防水フィルム５を介して可動接点９を変位させる。可動接点９が第一固定接点６および第二固定接点７に接触すると、第一固定接点６と第二固定接点７が、可動接点９を介して電気的に接続される。
【００４２】
この状態でスライダ操作部１１をカバー３の内側へ押し込む操作力を解除しても、板ばね１２の弾性復帰力により初期位置へ付勢される突起１１ａは、カバー３の内面に当接する。そのため、ハウジング２の長手方向に沿うスライダ１０の移動は、引き続き許容されている。
【００４３】
図６の（ａ）は、図５に示した状態からスライダ１０がオン位置に到達した状態を示す斜視図である。図６の（ｂ）は、図６の（ａ）における線VIB−VIBに沿って矢印方向から見た断面を示している。
【００４４】
可動接点９と第一固定接点６および第二固定接点７の接触状態は、接点操作部１３により引き続き維持されている。換言すると、第一固定接点６と第二固定接点７の導通状態は維持されている。この状態において、スライダ操作部１１の突起１１ａは、カバー３に設けられた第二係合凹部３ｃの直下に配置されている。
【００４５】
本実施形態においては、図５に示したように、スライダ１０がオフ位置からオン位置へ移動する途中で可動接点９と第一固定接点６および第二固定接点７が接触するように、接点操作部１３が構成されている。しかしながら、スライダ１０がオン位置に配置された時点で可動接点９と第一固定接点６および第二固定接点７が接触していれば、接点操作部１３が可動接点９を接触位置へ変位させる位置は適宜に定められうる。
【００４６】
図７の（ａ）は、図６に示した状態から、スライダ操作部１１をカバー３の内側へ押し込む操作力を解除した状態を示す斜視図である。図７の（ｂ）は、図７の（ａ）における線VIIB−VIIBに沿って矢印方向から見た断面を示している。
【００４７】
スライダ操作部１１をカバー３の内側へ押し込む操作力の解除により、板ばね１２の弾性復帰力がスライダ操作部１１を初期位置へ付勢する。このとき、突起１１ａが第二係合凹部３ｃと係合する。これにより、ハウジング２の長手方向に沿うスライダ１０の移動が阻止される。
【００４８】
第一固定接点６と第二固定接点７の導通状態を解除する場合は、図３から図７を参照して説明した上記の操作を逆に行なえばよい。すなわち、スライダ１０がオン位置に配置されているときに、スライダ操作部１１をカバー３の内側へ押し込むことにより初期位置から操作位置へ変位させ、突起１１ａと第二係合凹部３ｃの係合を解除する。そして、スライダ操作部１１をスライド溝３ａに沿って第一係合凹部３ｂに向かって変位させることにより、スライダ１０をオフ位置に向かって移動させ、接点操作部１３による可動接点９の押圧を解除する。可動接点９は、自身の弾性復帰力により、離間位置に復帰する。すなわち、可動接点９と第一固定接点６および第二固定接点７の接触状態が解除される。スライダ１０がオフ位置に到達すると、板ばね１２の弾性復帰力により、スライダ操作部１１が操作位置から初期位置に復帰する。これにより、突起１１ａが第一係合凹部３ｂと係合する。
【００４９】
上記のような構成によれば、第一固定接点６および第二固定接点７と可動接点９が第一防水フィルム４と第二防水フィルム５の間に配置されており、両者の離接は、スライダ１０に設けられた接点操作部１３により、第二防水フィルム５を介して行なわれる。これにより、外部からハウジング２内に侵入しうる水分によって第一固定接点６および第二固定接点７と可動接点９の切離動作が受ける影響を抑制できる。したがって、スライドスイッチ１の防水性を向上できる。
【００５０】
また、上記のような構成によれば、板ばね１２の付勢力に抗ってスライダ操作部１１をスライダ１０の移動方向と交差する向きに変位させない限り、スライダ１０のオフ位置とオン位置の間の移動が阻止される。これにより、スライダ操作部１１に加わる予期せぬ外力によって、オフ位置に配置されているスライダ１０が意図せずオン位置に移動されてしまう事態の発生を抑制できる。同様に、オン位置に配置されているスライダ１０が意図せずオフ位置に移動されてしまう事態の発生も抑制できる。したがって、スライドスイッチ１の誤動作の発生を抑制できる。
【００５１】
図１に示すように、スライドスイッチ１は、一対のクリックばね１４（弾性部材の一例）を備えている。各クリックばね１４は、凸部１４ａ（第一凸部の一例）を備えている。他方、スライダ１０は、一対の凸部１０ａ（第二凸部の一例）を備えている。
【００５２】
図１、および図４から図６より明らかなように、上記のようにスライダ１０がオフ位置とオン位置の間で移動するとき、スライダ１０の各凸部１０ａは、対向するクリックばね１４を弾性変形させつつ、当該クリックばね１４の凸部１４ａをハウジング２の短手方向に変位させる。スライダ１０の各凸部１０ａが対向するクリックばね１４の凸部１４ａを通過すると、当該クリックばね１４の弾性復帰力により、スライダ１０のオン位置またはオフ位置への移動が支援される。
【００５３】
このような構成によれば、スライダ１０がオフ位置またはオン位置から離れる際には、ある程度の移動規制力が発揮される。これにより、上記の誤動作抑制機能が支援される。したがって、スライドスイッチ１の誤動作をより抑制できる。また、各クリックばね１４の凸部１４ａが一旦変位されてしまえば、スライダ１０の行き先への移動が支援されるため、操作者にクリック操作感を与えることができる。
【００５４】
図１に示すように、ハウジング２は、底壁２ａを備えている。図２の（ｃ）に示すように、第一防水フィルム４は、接着剤を介して底壁２ａの外面２ａ１に接着されている。
【００５５】
図８の（ａ）は、可動接点９が装着された状態のハウジング２を上方から見た平面図である。ハウジング２の底壁２ａには、内面２ａ２に開口する凹部２ｂが形成されている。可動接点９は、凹部２ｂ内に収容される。
【００５６】
図８の（ｂ）は、図８の（ａ）に示した状態から第二防水フィルム５が装着された状態を示す平面図である。第二防水フィルム５は、凹部２ｂを包囲している底壁２ａの内面２ａ２にレーザ溶着されている。同図において破線で示された凹部２ｂの外側であって、第二防水フィルム５の下方に位置する内面２ａ２の部位がレーザ溶着に供される。レーザ溶着に供される部分は、同図において斜線が付された領域５ａで示されている。
【００５７】
一般に、ハウジング２の内部にはスイッチ回路を構成するための部品が収容されているため、防水フィルムを装着可能な領域が狭くなりがちである。しかしながら、レーザ溶着を用いることにより、第二防水フィルム５とハウジング２の接触面積が比較的小さい場合においても、両者を強固に結合できる。したがって、スライドスイッチ１の防水性をより向上できる。
【００５８】
図９は、第二実施形態に係るスライドスイッチ１０１の構成を示す分解斜視図である。図１０は、組み立てられたスライドスイッチ１０１の外観を示す四面図である。図１０の（ａ）は正面図である。図１０の（ｂ）は上面図である。図１０の（ｃ）は底面図である。図１０の（ｄ）は右側面図である。左側面から見た形状は右側面図に示したものと対称であるため、図示を省略する。また、背面から見た形状は正面図に示したものと対称であるため、図示を省略する。図１１の（ａ）は、図１０の（ｂ）における線XIB−XIBに沿って矢印方向から見た断面を示している。
【００５９】
図９に示すように、スライドスイッチ１０１は、ハウジング１０２とカバー１０３を備えている。ハウジング１０２は、絶縁性の材料により形成されている。カバー１０３は、ステンレス鋼などの金属により形成されている。カバー１０３は、絶縁性の材料により形成されてもよい。ハウジング１０２とカバー１０３は、図１０と図１１に示すように結合されることにより、ケースを構成する。
【００６０】
図９に示すように、スライドスイッチ１０１は、第一防水フィルム１０４を備えている。図１０の（ｃ）と図１１の（ａ）などに示すように、第一防水フィルム１０４は、ハウジング１０２の外面に装着されている。
【００６１】
図９に示すように、スライドスイッチ１０１は、第二防水フィルム１０５を備えている。図１１の（ａ）に示すように、第二防水フィルム１０５は、ハウジング１０２の内部に装着されている。
【００６２】
図１１の（ａ）に示すように、スライドスイッチ１０１は、第一固定接点１０６、第二固定接点１０７、および第三固定接点１０８を備えている。第一固定接点１０６、第二固定接点１０７、および第三固定接点１０８は、導電性の材料により形成されている。第一固定接点１０６、第二固定接点１０７、および第三固定接点１０８は、第一防水フィルム１０４と第二防水フィルム１０５の間において、ハウジング１０２に固定されている。第一固定接点１０６、第二固定接点１０７、および第三固定接点１０８は、ハウジング１０２により相互に離間され、電気的に絶縁されている。
【００６３】
図１０に示すように、第一固定接点１０６の端部１０６ａ、第二固定接点１０７の端部１０７ａ、および第三固定接点１０８の端部１０８ａは、それぞれハウジング１０２の底部において露出しており、外部回路との接続端子として使用される。
【００６４】
図９に示すように、スライドスイッチ１０１は、可動接点１０９を備えている。可動接点１０９は、導電性の材料により形成されている。図１１の（ａ）に示すように、可動接点１０９は、第一防水フィルム１０４と第二防水フィルム１０５の間に配置されている。可動接点１０９は、第一固定接点１０６および第二固定接点１０７から離間している離間位置と、第一固定接点１０６および第二固定接点１０７と接触している接触位置との間で変位可能とされている。図１１の（ａ）に示した状態において、可動接点１０９は、離間位置にある。可動接点１０９は、無負荷状態で離間位置をとるように構成された弾性部材により形成されている。
【００６５】
図９に示すように、スライドスイッチ１０１は、スライダ１１０を備えている。スライダ１１０は、絶縁性の材料により形成されている。図１１の（ａ）に示すように、スライダ１１０は、ハウジング１０２の内部に収容され、ハウジング１０２に支持されている。詳しくは後述するが、スライダ１１０は、オフ位置（第一位置の一例）とオン位置（第二位置の一例）の間で、ハウジング１０２の長手方向（第一方向の一例）へ移動可能とされている。図１１の（ａ）に示した位置において、スライダ１１０はオフ位置に配置されている。
【００６６】
図９に示すように、カバー１０３は、スライド溝１０３ａを備えている。スライド溝１０３ａは、ハウジング１０２の長手方向に延びている。スライド溝１０３ａは、スライダ１１０のオフ位置とオン位置の間の移動を案内するように構成されている。
【００６７】
図１１の（ａ）に示すように、スライドスイッチ１０１は、接点操作部１１３を備えている。接点操作部１１３は、スライダ１１０に設けられている。接点操作部１１３は、スライダ１１０がオフ位置からオン位置へ移動されることにより、第二防水フィルム１０５を介して可動接点１０９を、離間位置から接触位置へ変位させるように構成されている。
【００６８】
図１１の（ｂ）は、図１１の（ａ）に示した状態から、スライダ１１０をスライド溝１０３ａに沿ってオン位置へ移動させた状態を示している。スライダ１１０の移動に伴い、スライダ１１０に設けられた接点操作部１１３が、第二防水フィルム１０５を介して可動接点１０９を変位させる。可動接点１０９が第一固定接点１０６および第二固定接点１０７に接触すると、第一固定接点１０６と第二固定接点１０７が、可動接点１０９を介して電気的に接続される。
【００６９】
第一固定接点１０６と第二固定接点１０７の導通状態を解除する場合は、上記の操作を逆に行なえばよい。すなわち、スライダ１１０をスライド溝１０３ａに沿ってオフ位置に向かって移動させ、接点操作部１１３による可動接点１０９の押圧を解除する。可動接点１０９は、自身の弾性復帰力により、離間位置に復帰する。すなわち、可動接点１０９と第一固定接点１０６および第二固定接点１０７の接触状態が解除される。
【００７０】
上記のような構成によれば、第一固定接点１０６、第二固定接点１０７、および可動接点１０９が第一防水フィルム１０４と第二防水フィルム１０５の間に配置されており、両者の離接は、スライダ１１０に設けられた接点操作部１１３により、第二防水フィルム１０５を介して行なわれる。これにより、外部からハウジング１０２内に侵入しうる水分によって可動接点１０９と第一固定接点１０６および第二固定接点１０７の離接動作が受ける影響を抑制できる。したがって、スライドスイッチ１０１の防水性を向上できる。
【００７１】
図９に示すように、スライドスイッチ１０１は、一対のクリックばね１１４（弾性部材の一例）を備えている。各クリックばね１１４は、凸部１１４ａ（第一凸部の一例）を備えている。他方、スライダ１１０は、一対の凸部１１０ａ（第二凸部の一例）を備えている。
【００７２】
上記のようにスライダ１１０がオフ位置とオン位置の間で移動するとき、スライダ１１０の各凸部１１０ａは、対向するクリックばね１１４を弾性変形させつつ、当該クリックばね１１４の凸部１１４ａをハウジング１０２の短手方向に変位させる。スライダ１１０の各凸部１１０ａが対向するクリックばね１１４の凸部１１４ａを通過すると、当該クリックばね１１４の弾性復帰力により、スライダ１１０のオン位置またはオフ位置への移動が支援される。
【００７３】
このような構成によれば、スライダ１１０がオフ位置またはオン位置から離れる際には、ある程度の移動規制力が発揮される。スライダ１１０に加わる予期せぬ外力によって、オフ位置に配置されているスライダ１１０が意図せずオン位置に移動されてしまう事態の発生を抑制できる。同様に、オン位置に配置されているスライダ１１０が意図せずオフ位置に移動されてしまう事態の発生も抑制できる。したがって、スライドスイッチ１０１の防水性を向上できるだけでなく、誤動作も抑制できる。また、各クリックばね１１４の凸部１１４ａが一旦変位されてしまえば、スライダ１１０の行き先への移動が支援されるため、操作者にクリック操作感を与えることができる。
【００７４】
図９に示すように、ハウジング１０２は、底壁１０２ａを備えている。図１０の（ｃ）に示すように、第一防水フィルム１０４は、接着剤を介して底壁１０２ａの外面１０２ａ１に接着されている。
【００７５】
図１２の（ａ）は、可動接点１０９が装着された状態のハウジング１０２を上方から見た平面図である。ハウジング１０２の底壁１０２ａには、内面１０２ａ２に開口する凹部１０２ｂが形成されている。可動接点１０９は、凹部１０２ｂ内に収容される。
【００７６】
図１２の（ｂ）は、図１２の（ａ）に示した状態から第二防水フィルム１０５が装着された状態を示す平面図である。第二防水フィルム１０５は、凹部１０２ｂを包囲している底壁１０２ａの内面１０２ａ２にレーザ溶着されている。同図において破線で示された凹部１０２ｂの外側であって、第二防水フィルム１０５の下方に位置する内面１０２ａ２の部位がレーザ溶着に供される。レーザ溶着に供される部分は、同図において斜線が付された領域１０５ａで示されている。
【００７７】
一般に、ハウジング１０２の内部にはスイッチ回路を構成するための部品が収容されているため、防水フィルムを装着可能な領域が狭くなりがちである。しかしながら、レーザ溶着を用いることにより、第二防水フィルム１０５とハウジング１０２の接触面積が比較的小さい場合においても、両者を強固に結合できる。したがって、スライドスイッチ１０１の防水性をより向上できる。
【００７８】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００７９】
第一実施形態に係るスライドスイッチ１において、第一係合部の一例としての突起１１ａは、スライダ操作部１１に設けられており、第二係合部の一例としての第一係合凹部３ｂと第二係合凹部３ｃは、ケースの一部であるカバー３に設けられている。しかしながら、スライダ１０の移動方向と交差する向きに延びる突起をカバー３が備え、当該突起と係合可能な凹部をスライダ操作部１１が備える構成が採用されうる。
【００８０】
第一実施形態に係るスライドスイッチ１は、付勢部材の一例として板ばね１２を備えている。しかしながら、スライダ１０に支持され、スライダ操作部１１を初期位置へ向けて付勢できれば、板ばね１２に代えて、コイルばね、ラバーパッドなど、弾性復帰力を有する適宜の部材が採用されうる。
【００８１】
第一実施形態に係るスライドスイッチ１は、一枚の板ばね１２を備えている。しかしながら、スライダ操作部１１を付勢するために必要な力に応じて、複数枚の板ばね１２を備える構成が採用されうる。
【００８２】
第一実施形態に係るスライドスイッチ１は、一対のクリックばね１４を備えている。しかしながら、所望の誤操作抑制を支援する機能とクリック感を実現する機能を発揮できれば、単一のクリックばね１４を備える構成が採用されうる。この場合、スライダ１０に設けられる凸部１０ａの数は一つとなる。
【００８３】
第一実施形態に係るスライドスイッチ１における第一固定接点６、第二固定接点７、第三固定接点８、および可動接点９のレイアウトは、所望の回路仕様に応じて適宜に変更可能である。例えば、可動接点９の両端部が第一固定接点６および第二固定接点７と常時接続されており、第一固定接点６と第二固定接点７の間に配置された第三固定接点８に対し、スライダ１０の移動に伴って可動接点９の中間部が接離する構成が採用されうる。
【００８４】
第一実施形態に係るスライドスイッチ１において、第一防水フィルム４は、ハウジング２の底壁２ａの外面２ａ１に接着剤を介して装着されており、第二防水フィルム５は、ハウジング２の底壁２ａの内面２ａ２にレーザ溶着されている。十分な接触面積が確保できないのであれば、第一防水フィルム４もハウジング２に対してレーザ溶着されうる。他方、十分な接触面積が確保できるのであれば、第二防水フィルム５もハウジング２に対して接着されうる。第一防水フィルム４と第二防水フィルム５が装着される箇所は、ハウジング２の底壁２ａに限定されるものではない。可動接点９を第一防水フィルム４と第二防水フィルム５の間でハウジング２に固定できれば、第一防水フィルム４と第二防水フィルム５は、ハウジング２における適宜の位置に接着あるいはレーザ溶着されうる。
【００８５】
第二実施形態に係るスライドスイッチ１０１は、一対のクリックばね１１４を備えている。しかしながら、所望の誤操作抑制を支援する機能とクリック感を実現する機能を発揮できれば、単一のクリックばね１１４を備える構成が採用されうる。この場合、スライダ１１０に設けられる凸部１１０ａの数は一つとなる。
【００８６】
第二実施形態に係るスライドスイッチ１０１における第一固定接点１０６、第二固定接点１０７、および可動接点１０９のレイアウトは、所望の回路仕様に応じて適宜に変更可能である。例えば、可動接点１０９の両端部が第一固定接点１０６および第二固定接点１０７と常時接続されており、第一固定接点１０６と第二固定接点１０７の間に配置された第三固定接点１０８に対し、スライダ１１０の移動に伴って可動接点１０９の中間部が接離する構成が採用されうる。
【００８７】
第二実施形態に係るスライドスイッチ１０１において、第一防水フィルム１０４は、ハウジング１０２の底壁１０２ａの外面１０２ａ１に接着剤を介して装着されており、第二防水フィルム１０５は、ハウジング１０２の底壁１０２ａの内面１０２ａ２にレーザ溶着されている。十分な接触面積が確保できないのであれば、第一防水フィルム１０４もハウジング１０２に対してレーザ溶着されうる。他方、十分な接触面積が確保できるのであれば、第二防水フィルム１０５もハウジング１０２に対して接着されうる。第一防水フィルム１０４と第二防水フィルム１０５が装着される箇所は、ハウジング１０２の底壁１０２ａに限定されるものではない。可動接点１０９を第一防水フィルム１０４と第二防水フィルム１０５の間でハウジング１０２に固定できれば、第一防水フィルム１０４と第二防水フィルム１０５は、ハウジング１０２における適宜の位置に接着あるいはレーザ溶着されうる。
【符号の説明】
【００８８】
１：スライドスイッチ、２：ハウジング、３：カバー、３ｂ：第一係合凹部、３ｃ：第二係合凹部、４：第一防水フィルム、５：第二防水フィルム、６：第一固定接点、７：第二固定接点、９：可動接点、１０：スライダ、１０ａ：凸部、１１：スライダ操作部、１１ａ：突起、１２：板ばね、１３：接点操作部、１４：クリックばね、１４ａ：凸部、１０１：スライドスイッチ、１０２：ハウジング、１０３：カバー、１０４：第一防水フィルム、１０５：第二防水フィルム、１０６：第一固定接点、１０７：第二固定接点、１０９：可動接点、１１０：スライダ、１１０ａ：凸部、１１３：接点操作部、１１４：クリックばね、１１４ａ：凸部
【図１】
2016139589.tif 000003
【図２】
2016139589.tif 000004
【図３】
2016139589.tif 000005
【図４】
2016139589.tif 000006
【図５】
2016139589.tif 000007
【図６】
2016139589.tif 000008
【図７】
2016139589.tif 000009
【図８】
2016139589.tif 000010
【図９】
2016139589.tif 000011
【図１０】
2016139589.tif 000012
【図１１】
2016139589.tif 000013
【図１２】
2016139589.tif 000014